(57)【要約】【課題】セルトレイ下方での通気性を十分に確保することができると共に、地面からの熱気や冷気が苗に伝わるのを効果的に抑制することができる育苗棚を提供する。【解決手段】発泡樹脂製の育苗棚１は、矩形平板状の底板２と、底板２の一辺と平行で且つ該一辺と略同幅となるよう底板２の一面から立設された複数の桁体３と、桁体３の頂面から突出するように設けられセルトレイが載置される複数の載置部４と、を備える。複数の載置部４は、桁体３の幅方向Ｄに沿って互いに離間して配置されている。この構成によれば、載置部４にセルトレイを載せたときにセルトレイと桁体３との間に隙間ができるので、その隙間を通って空気が流れてセルトレイ下方での通気性を十分に確保することができる。また、断熱性の高い発泡樹脂により形成された底板２がセルトレイと地面との間に介在するので、地面からの熱気や冷気が苗に伝わるのを効果的に抑制することができる。【選択図】図２
0003235463.tif 000002
【実用新案登録請求の範囲】
【請求項１】
育苗用のセルトレイを載置するための発泡樹脂製の育苗棚であって、
矩形平板状の底板と、前記底板の一辺と平行で且つ該一辺と略同幅となるよう前記底板の一面から立設された複数の桁体と、前記桁体の頂面から突出するように設けられセルトレイが載置される複数の載置部と、を備え、
前記複数の載置部は、前記桁体の幅方向に沿って互いに離間して配置されていることを特徴とする育苗棚。
【請求項２】
前記載置部は、その頂面に前記幅方向と直交する方向に亘って設けられた複数の溝を有することを特徴とする請求項１に記載の育苗棚。
【請求項３】
前記底板において隣り合う前記桁体により挟まれた面は、その中央を頂点とする傾斜面となっていることを特徴とする請求項１又は請求項２に記載の育苗棚。
【考案の詳細な説明】
【技術分野】
【０００１】
本考案は、育苗用のセルトレイを載置するための育苗棚に関する。
【背景技術】
【０００２】
従来から、野菜等の農作用植物は、農地に定植される前に葉や根が所定の大きさになるまで育苗される。育苗には、ポット状のセルが多数格子状に一体形成されたセルトレイが用いられ、床土が敷かれた各セルに植物の種が播かれ、覆土及び潅水の後、セルトレイは通気性のある育苗箱に載せられて所定条件で維持管理される（例えば、特許文献１）。
【０００３】
育苗期間は植物により異なり、発芽から比較的短い期間で定植される植物の場合には、播種したセルトレイを上下方向に多段に設置するための育苗棚が用いられるが、葉や根がある程度十分に育った段階で定植される植物の場合には、日当たりを要するためセルトレイが地面に横並びに敷き詰められる。この際、セルトレイ下方での通気性を確保するために、地面の上に長尺な木製の板材を複数互いに平行となるように敷き、それら板材の上にセルトレイを配置することが一般的に行われている。
【先行技術文献】
【特許文献】
【０００４】
【特許文献１】特開２００３−７９２５２号公報
【考案の概要】
【考案が解決しようとする課題】
【０００５】
しかしながら、上記のような構成では、板材が伸長する方向においては板材の間を通って空気が流れることで通気性が確保されるものの、該方向に直交する方向においては板材により空気の流れが遮られて通気性を確保することができない。また、一般的に用いられる板材の板厚は薄いので、セルトレイが地面から数センチ程度持ち上げられるに過ぎず、地面からの熱気や冷気が苗に伝わって苗の成長に悪影響を及ぼす虞がある。
【０００６】
本考案は、上記課題に鑑みてなされたものであり、セルトレイ下方での通気性を十分に確保することができると共に、地面からの熱気や冷気が苗に伝わるのを効果的に抑制することができる育苗棚を提供することを目的とする。
【課題を解決するための手段】
【０００７】
本考案は、育苗用のセルトレイを載置するための発泡樹脂製の育苗棚であって、矩形平板状の底板と、前記底板の一辺と平行で且つ該一辺と略同幅となるよう前記底板の一面から立設された複数の桁体と、前記桁体の頂面から突出するように設けられセルトレイが載置される複数の載置部と、を備え、前記複数の載置部は、前記桁体の幅方向に沿って互いに離間して配置されていることを特徴とする。
【０００８】
前記載置部は、その頂面に前記幅方向と直交する方向に亘って設けられた複数の溝を有することが好ましい。
【０００９】
前記底板において隣り合う前記桁体により挟まれた面は、その中央を頂点とする傾斜面となっていることが好ましい。
【考案の効果】
【００１０】
本考案の育苗棚によれば、載置部にセルトレイを載せたときにセルトレイと桁体との間に隙間ができるので、その隙間を通って空気が流れてセルトレイ下方での通気性を十分に確保することができる。また、断熱性の高い発泡樹脂により形成された底板がセルトレイと地面との間に介在するので、地面からの熱気や冷気が苗に伝わるのを効果的に抑制することができる。
【図面の簡単な説明】
【００１１】
【図１】（ａ）は、セルトレイ及び育苗箱が載置された本考案の実施形態に係る育苗棚の斜視図、（ｂ）は、（ａ）からセルトレイを除いた図。
【図２】上記育苗棚から育苗箱を遊離させた状態の斜視図。
【図３】（ａ）は、上記育苗箱が載置された育苗棚の上面図、（ｂ）は、（ａ）のＩ−Ｉ線断面図及びその一部拡大図。
【図４】（ａ）は、上記育苗棚の上面図、（ｂ）は、（ａ）のＩＩ−ＩＩ線断面図、（ｃ）は、（ａ）のＩＩＩ−ＩＩＩ線断面図。
【考案を実施するための形態】
【００１２】
本考案の実施形態に係る育苗棚について図面を参照して説明する。図１（ａ）（ｂ）に示すように、育苗棚１は、セルトレイＣ及び育苗箱Ｂを下方から支持するものである。セルトレイＣは、苗が植え付けられるポットＰが多数格子状に一体形成されたものであり、その外形が平面視矩形となるように形成されている。各々のポットＰの底面には、通水性及び通気性を確保するために孔（不図示）が設けられている。育苗箱Ｂは、セルトレイＣの外寸に適合する内寸を有する平面視矩形の有縁トレイであり、セルトレイＣを下方から格納する。育苗箱Ｂの底面には、ポットＰと同様の通水性及び通気性を確保するための孔Ｈ（図１（ｂ）参照）が、多数格子状に形成されている。
【００１３】
図２に示すように、育苗棚１は、矩形平板状の底板２と、底板２の一辺と平行で且つ該一辺と略同幅となるよう底板２の一面（図例では上面）から立設された複数の桁体３と、桁体３の頂面から突出するように設けられ育苗箱Ｂ（セルトレイ）が載置される複数の載置部４と、を備える。育苗棚１は発泡樹脂製で、例えば、ポリスチレン、ポリエチレン及びポリプロピレン等のポリオレフィン系発泡樹脂により形成され、好ましくは、発泡ポリスチレン（ＥＰＳ（ｅｘｐａｎｄｅｄ  ｐｏｌｙｓｔｙｒｅｎｅ））により形成される。
【００１４】
底板２は、例えば、長辺が１２００ｍｍ、短辺が９００ｍｍ、厚みが４５〜５０ｍｍの矩形平板状に形成される。桁体３は、底板２の一対の辺、図例では短辺の各々に沿って伸長した桁体３ａ、３ｂと、桁体３ａ、３ｂの真ん中に設けられた桁体３ｃと、により構成されている。桁体３ａ〜３ｃの底板２からの突出高さは、例えば、８５ｍｍとされる。また、両側の桁体３ａ、３ｂの壁厚は、７０ｍｍとされ、中央の桁体３ｃの壁厚は、桁体３ａ、３ｂよりも厚く、１００ｍｍとされる。
【００１５】
複数の載置部４は、桁体３ａ、３ｂ、３ｃにおいて、桁体３の幅方向（桁体３の伸長方向）Ｄに沿って互いに離間して配置されている。載置部４は、図例では、幅方向Ｄにおける桁体３の両端部に設けられた載置部４ａ、４ｂと、載置部４ａ、４ｂの間を３等分するように配置された載置部４ｃ、４ｄと、により構成されている。
【００１６】
幅方向Ｄにおいて、中央寄りの載置部４ｃ、４ｄの長さは、両側の載置部４ａ、４ｂの長さの略２倍となっている。また、幅方向Ｄに直交する方向Ｅにおいて、中央の桁体３ｃ及び載置部４ｃの幅は、両側の桁体３ａ、３ｂ及び載置部４ａ、４ｂの幅の略２倍となっている。そして、一の育苗箱Ｂ１は、桁体３ａ、３ｃの載置部４ａ、４ｃの上に載置され、幅方向Ｄにおいて育苗箱Ｂ１に隣接する育苗箱Ｂ２は、桁体３ａ、３ｃの載置部４ｃ、４ｄの上に載置される。同様にして、桁体３ａ、３ｃの載置部４ｂ、４ｄ、桁体３ｂ、３ｃの載置部４ａ、４ｃ、桁体３ｂ、３ｃの載置部４ｃ、４ｄ及び桁体３ｂ、３ｃの載置部４ｂ、４ｄの上に、それぞれ育苗箱Ｂが載置される。載置部４ａ、４ｂの長さ（幅方向Ｄの長さ）は、例えば、５０ｍｍとされ、載置部４ｃ、４ｄの長さは、１００ｍｍとされる。また、載置部４の桁体３の頂面からの突出高さは、例えば、２０ｍｍとされる。隣り合う載置部４の間隔は、例えば、夫々２００ｍｍとされる。つまり、載置部４の上にセルトレイが載せられたとき、桁体３の頂面とセルトレイとの間には、２０×２００ｍｍの隙間５が、一の育苗棚の１辺につき３カ所設けられることになる。
【００１７】
図３（ａ）（ｂ）に示すように、載置部４は、その頂面４１、すなわち、育苗箱Ｂが載置される面に、方向Ｅに亘って設けられた複数の溝４２を有する（図３（ｂ）の拡大図参照）。溝４２の幅は、例えば、８．４ｍｍとされ、深さは５ｍｍとされる。隣り合う溝４２の間隔は８ｍｍとされる。これら溝４２は、育苗箱Ｂの孔Ｈと連通するように構成されている。このようにすることで、例えば、セルトレイ（不図示）及び育苗箱Ｂに入れられた苗に水やりをしたときに、余分な水や空気が、セルトレイの孔及び育苗箱Ｂの孔Ｈを介して溝４２に流れ込む。溝４２に流れ込んだ水は、溝４２が方向Ｅに亘って設けられているので、桁体３の壁面を伝って育苗棚１の外部に排出されるか底板２の上面に流れ込む。
【００１８】
図４（ａ）乃至（ｃ）に示すように、育苗棚１では、底板２において隣り合う桁体３により挟まれた面は、その中央を頂点２１とする傾斜面２２となっている。このようにすることで、溝４２から桁体３の壁面を伝って底板２の上面に流れ込んできた水や、育苗箱（不図示）から直接に底板２の上面に落下してきた水を、傾斜面２２により速やかに育苗棚１の外部に排出することができる。底板２の上面に水が留まっていると、植物の根が育苗箱ＢのポットＰを超えて水に向けて不要に伸長してしまうことがあり、また、雑菌や害虫の温床となり得る。これに対して、育苗棚１によれば、傾斜面２２により底板２の上面から水が排出されるので、植物の根の不要な伸長を抑制し、雑菌や害虫の繁殖を低減した育苗条件を得ることができる。
【００１９】
上記のように育苗棚１によれば、育苗棚１を地面に直接置いて育苗するときに、断熱性の高い発泡樹脂により形成された底板２が育苗箱Ｂと地面との間に介在するので、地面からの熱気や冷気が苗に伝わるのを効果的に抑制することができる。また、軽量な発泡樹脂により形成された育苗棚１は、従来のように重量のある木製の板材により形成された育苗棚と比べて、設置、撤去及び持ち運びが容易となる。
【００２０】
桁体３の頂面から突出するようにして複数の載置部４が幅方向Ｄに沿って互いに離間して配置されているので、載置部４にセルトレイＣ（育苗箱Ｂ）を載せたときに、育苗箱Ｂと桁体３との間に隙間５ができる（図３（ｂ）参照）。そのため、幅方向Ｄに沿って桁体３の間を空気が流れるだけでなく、幅方向Ｄに直交する方向Ｅにおいても隙間５を通って空気が流れるので、育苗箱Ｂ下方での通気性を確保することができる。
【００２１】
また、載置部４において溝４２が方向Ｅに亘って設けられているので、溝４２に残存した水が、方向Ｅから流れてきた空気によって速やかに乾燥除去される。これにより、溝４２に水が長時間溜まるのを防止して、不要な根の伸長や雑菌・害虫の繁殖を抑制することができる。
【００２２】
また、底板２の一辺と平行且つ略同幅となるように複数の桁体３を設けているので、桁体３がリブとして機能し、育苗棚１の全体強度を増加させることができる。更に、この桁体３の頂面に載置部４を設け、載置部４自体の突出高さは低いので、例えば、柱状の載置部４を底板２から高く立設した場合に比べて、セルトレイＣを安定的に載置することができる。また、隙間５の大きさを制限しているので、底板２とセルトレイＣ（育苗箱Ｂ）との間の通気性を確保しながら、壁状に存在する桁体３によって適度な保温性も得られる。
【００２３】
なお、本考案に係る育苗棚は、上記実施形態に限定されず種々の変形が可能である。例えば、載置部は、その頂面に必ずしも溝を有さなくてもよい。また、底板において隣り合う桁体により挟まれた面は、必ずしも傾斜面となっている必要はなく、例えば、平坦面であってもよい。
【符号の説明】
【００２４】
１  育苗棚
２  底板
２１  （底板の）頂点
２２  （底板の）傾斜面
３、３ａ、３ｂ、３ｃ  桁体
４、４ａ、４ｂ、４ｃ、４ｄ  載置部
４１  （載置部の）頂面
４２  溝
Ｃ  セルトレイ
Ｄ  幅方向
Ｅ  幅方向と直交する方向
【図１】
0003235463.tif 000003
【図２】
0003235463.tif 000004
【図３】
0003235463.tif 000005
【図４】
0003235463.tif 000006